(57)【特許請求の範囲】
【請求項１】
建物の扉を開閉する自動ドアに取り付けられる発光装置であって、
前記自動ドアの不動部に取り付けられ、前記建物から電力を供給されて光が出射される光源と、
前記扉に取り付けられ、入射部に前記光が入射すると発光する発光体と、
前記扉に取り付けられ、前記光源から出射された光を前記発光体に導く光ファイバと、を備え、
前記光ファイバは、前記扉が前記光源から出射される光を入射可能な位置にあるときに光を入射させる基端部と、前記入射部に接続された先端部と、を有し、前記基端部に入射した光を前記先端部まで案内して前記入射部に入射させるように構成されている
発光装置。
【請求項２】
前記光源は、前記扉の開閉方向に並べられた複数の発光素子を含む
請求項１に記載の発光装置。
【請求項３】
前記発光体は、前記入射部から入射された前記光の少なくとも一部を外部に漏出させる漏出部と、前記光を前記入射部から前記漏出部まで導く光導波路部とを有する
請求項１又は２に記載の発光装置。
【請求項４】
前記光源は、前記光を前記入射部に向けて収束させる発光ダイオードを含む
請求項１乃至３のいずれか１項に記載の発光装置。
【請求項５】
前記入射部は、鉛直方向にみて上向きの面として設けられている
請求項１乃至４のいずれか１項に記載の発光装置。
【請求項６】
前記複数の発光素子は、前記光として第１色相の第１光を出射する少なくとも１つの第１発光素子と、前記光として前記第１色相とは異なる第２色相の第２光を出射する少なくとも１つの第２発光素子と、を含み、
前記扉が、閉方向に移動しているときは、前記少なくとも１つの第１発光素子を発光させ、前記扉が、開方向に移動しているときは、前記少なくとも１つの第２発光素子を発光させる制御回路を備える
請求項２乃至５のいずれか１項に記載の発光装置。
【請求項７】
前記少なくとも１つの第１発光素子は、第１位置に配置された第１発光ダイオードと、前記第１位置から前記開閉方向にずれた第２位置に配置された第２発光ダイオードと、を含み、
前記少なくとも１つの第２発光素子は、前記第１発光ダイオードと前記第２発光ダイオードとの間に配置された第３発光ダイオードを含み、
前記第１発光ダイオードと前記第２発光ダイオードとの間の距離は、前記第１発光ダイオードと前記第３発光ダイオードとの間の距離とは異なるように配置され、
前記制御回路は、前記扉が閉方向に移動する間、前記第２発光ダイオードを、前記第１発光ダイオードの次に光を出射させる
請求項６に記載の発光装置。
【請求項８】
前記自動ドアの周囲の照度を検知する照度センサを更に備え、
前記制御回路は、前記照度が所定の照度である第１照度以上のとき、前記少なくとも１つの光源から出射される前記光の輝度を所定よりも高い輝度である第１輝度に変更する輝度調整部を含む
請求項１乃至７のいずれか１項に記載の発光装置。
【請求項９】
前記輝度調整部は、前記検知した照度が、前記第１照度よりも低い照度である第２照度以下のとき、前記少なくとも１つの光源から出射される前記光の輝度を所定よりも低い輝度である第２輝度に変更する
請求項８に記載の発光装置。
【請求項１０】
前記発光体は、前記扉の戸先又は戸尻に沿って設けられる
請求項１乃至９のいずれか１項に記載の発光装置。
【請求項１１】
前記発光体は、前記扉の表面に設けられる第１発光体と前記扉の裏面に設けられる第２発光体とを備え、
前記第１発光体または前記第２発光体のいずれか一方は前記扉を貫通して設けられる光ファイバによって前記光が導かれる
請求項１乃至１０のいずれか１項に記載の発光装置。
【請求項１２】
前記少なくとも１つの発光素子は赤、青及び緑の各色相の光を出射可能である
請求項１乃至１１のいずれか１項に記載の発光装置。
【請求項１３】
前記光が前記発光体とは異なる方向に漏洩するのを防止するフードが、入射部前記基端部に設けられている
請求項３乃至１２のいずれか１項に記載の発光装置。
【請求項１４】
前記複数の発光素子のうち所定の前記発光素子のみ選択して発光させる制御回路を備える
請求項２乃至１３のいずれか１項に記載の発光装置。
【請求項１５】
前記制御回路は、前記扉の位置に応じて、前記所定の発光素子を選択する
請求項１４に記載の発光装置。
【請求項１６】
前記光源は、前記自動ドアの上部に配置され、前記扉の法線方向に前記光を出射する
請求項１乃至１５のいずれか１項に記載の発光装置。
【請求項１７】
前記制御回路は、前記扉の移動方向に延びる支持体に支持される
請求項６乃至１６のいずれか１項に記載の発光装置。
【発明の詳細な説明】
【技術分野】
【０００１】
本発明は、自動ドアに取り付けられる発光装置に関する。
【背景技術】
【０００２】
自動ドアに取り付けられた発光装置を用いて、通行口を通行する通行者に様々な情報（安全を確保するための表示を含む）を与える技術が開発されている（特許文献１及び特許文献２を参照）。特許文献１は、水平に摺動する扉に取り付けられた発光装置を開示する。発光装置は、扉の戸先に取り付けられ、戸先を発光させるものであり、これにより通行者に戸先の位置を意識させ、安全を確保するものである。また、広告として扉のガラス面に画像や映像を表示することにより通行者に広告情報を与えることも開示されている。
【先行技術文献】
【特許文献】
【０００３】
【特許文献１】特開平９−１３７６６９号公報
【特許文献２】特開２０１４−２３８００５号公報
【発明の概要】
【発明が解決しようとする課題】
【０００４】
特許文献１や特許文献２の発光装置は、開閉する扉に建物側から配線された電力線によって電力が供給される。そのため、扉の開閉により、扉と電力線が干渉し断線したり、接触不良等を起こしたりする可能性がある。干渉等による断線を防止するため、電力線を保護するガイド機構を用いることもできるが、専有するスペースが大きくなってしまうという問題がある。
【０００５】
本発明は、コンパクトな構成で故障しにくい発光装置を提供することを目的とする。
【課題を解決するための手段】
【０００６】
本発明の一局面に係る発光装置は、建物の扉を開閉する自動ドアに取り付けられる。発光装置は、前記自動ドアの不動部に取り付けられ、前記建物から電力を供給されて光が出射される光源と、前記扉に取り付けられ、入射部に前記光が入射すると発光する発光体と、前記扉に取り付けられ、前記光源から出射された光を前記発光体に導く光ファイバと、を備える。前記光ファイバは、前記扉が前記光源から出射される光を入射可能な位置にあるときに光を入射させる基端部と前記入射部に接続された先端部とを有し、前記基端部に入射した光を前記先端部まで案内して前記入射部に入射させるように構成されている。
【０００７】
この構成によれば、発光体を発光させる光源は、自動ドアが開閉しても動くことが無い自動ドアの不動部に取り付けられるので、光源に電力を供給する電力線は、扉の開閉による影響を受けない。したがって、電力線の断線を防止するためのカバーや機構などが不要となる。よって、発光装置をコンパクトな構成で故障しにくくすることができる。さらに、入射された光を光ファイバを用いて導くことができるので、光学的損失を抑えながら、光源と発光体との間の位置関係に関して設計の自由度を高めることができる。よって発光装置がコンパクトな構成で故障しにくいものであっても、設計の自由度を確保しながら、光学的損失を抑えることができる。
【０００８】
上記構成において、前記光源は、前記扉の開閉方向に並べられた複数の発光素子を含んでもよい。
【０００９】
この構成によれば、扉の開閉方向に複数の発光素子が並べられているので、扉を開閉している間も、電力線が断線等することなく、発光体を発光させることができる。したがって、扉の開閉中に発光できながら、発光装置をコンパクトな構成で故障しにくくすることができる。
【００１２】
上記構成において、前記発光体は、前記入射部から入射された前記光の少なくとも一部を外部に漏出させる漏出部と、前記光を前記入射部から前記漏出部まで導く光導波路部とを有してもよい。
【００１３】
この構成によれば、入射部から入射された光を、外部に漏出させる漏出部まで光導波路部を用いて導くため、漏出部まで光学的な減衰を抑えながら光を導くことができる。よって発光装置がコンパクトな構成で故障しにくいものであっても、光学的損失を抑えることができる。
【００１４】
上記構成において、前記光源は、前記光を前記入射部に向けて収束させる発光ダイオードを含んでもよい。
【００１５】
この構成によれば、発光ダイオードは、光を入射部に向けて収束させる。つまり光源から出射される光の多くを発光体に入射することができるので、光が効率的に伝達される。よって発光装置がコンパクトな構成で故障しにくいものであっても、光学的損失を抑えることができる。
【００１８】
上記構成において、前記入射部は、鉛直方向にみて上向きの面として設けられてもよい。
【００１９】
この構成によれば、扉の上方に光源を配置することができるので、見込方向（扉面の法線方向）のサイズをコンパクトにしながら、扉に設けられる発光体から光源までの距離を短くすることができる。よって発光装置がコンパクトな構成で故障しにくいものであっても、光学的損失を抑えることができる。
【００２０】
上記構成において、前記複数の発光素子は、前記光として第１色相の第１光を出射する少なくとも１つの第１発光素子と、前記光として前記第１色相とは異なる第２色相の第２光を出射する少なくとも１つの第２発光素子と、を含んでもよい。前記扉が、閉方向に移動しているときは、前記少なくとも１つの第１発光素子を発光させ、前記扉が、開方向に移動しているときは、前記少なくとも１つの第２発光素子を発光させる制御回路を備えてもよい。
【００２１】
この構成によれば、扉が、閉方向に移動する間、複数の発光素子から第１色相の第１光が出射される一方で、扉が、開方向に移動する間、複数の発光素子から第２色相の第２光が出射される。よって発光装置は、光の色相を変化させることにより、通行者に扉の進行方向を視認しやすくさせることができる。
【００２２】
上記構成において、前記少なくとも１つの第１発光素子は、第１位置に配置された第１発光ダイオードと、前記第１位置から前記開閉方向にずれた第２位置に配置された第２発光ダイオードと、を含んでもよい。前記少なくとも１つの第２発光素子は、前記第１発光ダイオードと前記第２発光ダイオードとの間に配置された第３発光ダイオードを含んでもよい。前記第１発光ダイオードと前記第２発光ダイオードとの間の距離は、前記第１発光ダイオードと前記第３発光ダイオードとの間の距離とは異なるように配置されてもよい。前記制御回路は、前記扉が閉方向に移動する間、前記第２発光ダイオードを、前記第１発光ダイオードの次に光を出射させてもよい。
【００２３】
この構成によれば、第１発光ダイオードと第２発光ダイオードとの間の距離は、第１発光ダイオードと第３発光ダイオードとの間の距離と異なるので、扉が閉方向に移動する間、発光体は明滅することができる。よって発光装置は、通行者に扉が閉方向に移動していることを視認しやすくさせることができる。さらに、第３発光ダイオードは、第１発光ダイオードと第２発光ダイオードとの間に配置されるので、発光装置は、開位置と閉位置との間のストローク長において、多数の発光ダイオードを配置することができる。
【００２４】
上記構成において、発光装置は、前記自動ドアの周囲の照度を検知する照度センサを更に備えてもよい。前記制御回路は、前記照度が所定の照度である第１照度以上のとき、前記少なくとも１つの光源から出射される前記光の輝度を所定よりも高い輝度である第１輝度に変更する輝度調整部を含んでもよい。
【００２５】
この構成によれば、輝度調整部は、自動ドアの周囲の照度（明るさ）が第１輝度以上のとき、少なくとも１つの光源から出射される光の輝度を所定よりも高い第１輝度に変更するので、発光装置は、使用環境に適した輝度で、光を発することができる。つまり、発光装置は、明るい環境下においても、通行者が視認するのに十分な輝度の光を出射することができる。
【００２６】
上記構成において、前記輝度調整部は、前記検知した照度が、前記第１照度よりも低い照度である第２照度以下のとき、前記少なくとも１つの光源から出射される前記光の輝度を所定よりも低い輝度である第２輝度に変更してもよい。
【００２７】
この構成によれば、輝度調整部は、検知した照度が、第１照度よりも低い照度である第２照度以下のとき、少なくとも１つの光源から出射される光の輝度を所定よりも低い第２輝度に変更するので、発光装置は、使用環境に適した輝度で、光を発することができる。つまり、発光装置は暗い環境下においても、電力消費を抑えながら、通行者が視認するのに十分な輝度の光を出射することができる。
【００２８】
上記構成において、前記発光体は、前記扉の戸先又は戸尻に沿って設けられてもよい。
【００２９】
この構成によれば、発光体は、扉の戸先又は戸尻に沿って取り付けられるので、発光装置は、通行者に扉の端縁を容易に視認させることができる。
【００３０】
上記構成において、前記発光体は、前記扉の表面に設けられる第１発光体と前記扉の裏面に設けられる第２発光体とを備えてもよい。前記第１発光体または前記第２発光体のいずれか一方は前記扉を貫通して設けられる光ファイバによって前記光が導かれてもよい。
【００３１】
この構成によれば、第１発光体または第２発光体のいずれか一方は扉を貫通して設けられる光ファイバによって光が導かれるので、簡素な構成で扉の表面側または裏面側に設けられた光源から第１発光体および第２発光体に光を導くことができる。よって発光装置は簡素な構成で、光を扉の表面と裏面の両方から出射させることができるので、扉の表面側及び裏面側から接近する通行者に扉を容易に視認させることができる。
【００３２】
上記構成において、前記少なくとも１つの光源素子は赤、青及び緑の各色相の光を出射可能であってもよい。
【００３３】
この構成によれば、発光体は、赤、青及び緑の色相の光を出射することができるので、発光装置は、これらの色相の単色又は混色に基づき、様々な色の光を発することができる。よって発光装置は、通行者に扉を容易に視認させることができる。
【００３４】
上記構成において、前記光が前記発光体とは異なる方向に漏洩するのを防止するフードが、前記基端部に設けられてもよい。
【００３５】
この構成によれば、フードが、不必要に拡散した光の漏洩を防止するので、発光装置は通行者に、不要光を視認させにくくすることができる。
【００３６】
上記構成において、発光装置は、前記複数の発光素子のうち所定の前記発光素子のみ選択して発光させる制御回路を備えてもよい。
【００３７】
この構成によれば、制御回路は、複数の発光素子のうち所定の発光素子のみを発光させるので、光を不必要に出射することがない。つまり、発光装置は通行者に、不要光を視認させにくくすることができる。
【００３８】
上記構成において、前記制御回路は、前記扉の位置に応じて、前記所定の発光素子を選択してもよい。
【００３９】
この構成によれば、扉の位置に応じて、発光素子を選択的に発光させるので、選択されていない発光素子が、光を不必要に出射することがない。つまり発光装置は通行者に、不要光を視認させにくくすることができる。
【００４０】
上記構成において、前記光源は、前記自動ドアの上部に配置され、前記扉の法線方向に前記光を出射してもよい。
【００４１】
この構成によれば、光源は、自動ドアの上部に配置され、扉の法線方向に光を出射するので、発光体へ導かれることなく光源から漏出した光は、通行者の目線より上を主に扉の法線方向に進むため通行者の目に届きにくい。つまり、発光装置は通行者に、不要光を視認させにくくすることができる。
【００４４】
上記構成において、前記制御回路は、前記扉の移動方向に延びる支持体に支持されてもよい。
【００４５】
この構成によれば、制御回路は、扉の移動方向に延びる支持体に取り付けられるので、発光装置は、高さ方向に狭い空間に収容され得る。
【発明の効果】
【００４６】
上述の発光装置は、コンパクトでありながら、故障しにくい構成とすることができる。
【図面の簡単な説明】
【００４７】
【図１】第１実施形態の発光装置の概念図である。
【図２】第２実施形態の光源の概念図である。
【図３】第３実施形態の発光素子の概念図である。
【図４】第４実施形態の発光装置の概念的なブロック図である。
【図５】第５実施形態の発光装置の概念的なブロック図である。
【図６】図５に示される発光装置のフードの概略的な断面図である（第６実施形態）。
【図７】図５に示される発光装置のフードの概略的な断面図である（第７実施形態）。
【図８】第８実施形態の発光装置の概念的なブロック図である。
【図９】図８に示される発光装置の制御回路の制御動作を表す概略的なフローチャートである。
【図１０】第９実施形態の光源の概略的な拡大図である。
【図１１】第１０実施形態の発光装置の概念的なブロック図である。
【図１２Ａ】第１１実施形態の発光体の概略的な斜視図である。
【図１２Ｂ】第１１実施形態の発光体の概略的な斜視図である。
【図１２Ｃ】第１１実施形態の発光体の概略的な斜視図である。
【図１２Ｄ】第１１実施形態の発光体の概略的な斜視図である。
【図１３Ａ】扉の概略的な斜視図である（第１２実施形態）。
【図１３Ｂ】扉の概略的な斜視図である（第１２実施形態）。
【図１３Ｃ】扉の概略的な斜視図である（第１２実施形態）。
【図１４Ａ】扉の概略的な斜視図である（第１３実施形態）。
【図１４Ｂ】扉の概略的な斜視図である（第１３実施形態）。
【図１５】第１４実施形態の発光装置の概略的な斜視図である。
【図１６】図１５に示される発光装置の支持レール内の光源の概略的な正面図である。
【図１７】第１５実施形態の発光装置の概略的な斜視図である。
【発明を実施するための形態】
【００４８】
＜第１実施形態＞
本発明者等は、扉から分離された光源と光源からの光に応じて発光する発光体との間の光学的接続を用いて、コンパクトな構成で、発光体に電力を供給する電力線を不要とすることで、故障リスクを低減する技術を案出した。第１実施形態において、本発明者等によって案出された発光装置の概念が説明される。
【００４９】
図１は、第１実施形態の発光装置１００の概念図である。図１を参照して、発光装置１００が説明される。
【００５０】
図１は、建物（図示せず）の通路（図示せず）に設けられる引戸式の自動ドアＡＭＤを示す。自動ドアＡＭＤは、不動部ＩＭＰと、扉ＳＤＲと、を備える。不動部ＩＭＰは、建物に固定される。たとえば、不動部ＩＭＰは、無目を形成し、且つ、扉ＳＤＲを駆動するモータ（図示せず）が収容されるケースであってもよい。代替的に、不動部ＩＭＰは、建物に固定された他の部位であってもよい。本実施形態の原理は、不動部ＩＭＰとして用いられる特定の部位に限定されない。更に自動ドアは片引きのものに限られず、引分け式の自動ドアであってもよく、更に二重引戸、円形ドア、グライドドアであっても良い。
【００５１】
扉ＳＤＲは、不動部ＩＭＰに対して、通路が開放される開位置と、通路が閉鎖される閉位置との間で移動する。自動ドアＡＭＤは、扉ＳＤＲを移動させるためにベルト駆動機構を用いているが、その他の駆動機構であっても良い。既知の駆動技術は、扉ＳＤＲの移動のために利用可能である。本実施形態の原理は、扉ＳＤＲを移動させるための特定の駆動技術に限定されない。
【００５２】
図１は、電源ＰＳＰを更に示す。電源ＰＳＰは、自動ドアＡＭＤが取り付けられる建物に備えられる外部電源である。なお、不動部ＩＭＰに組み込まれてもよく、この場合は、電源ＰＳＰは、自動ドアＡＭＤの内部電源として機能する。
【００５３】
発光装置１００は、光源２００と、発光体３００と、を含む。光源２００は、不動部ＩＭＰに取り付けられる。発光体３００は、扉ＳＤＲに取り付けられる。
【００５４】
図１は、電源ＰＳＰから光源２００へ延びる電力の供給経路ＰＳＲ（鎖線で描かれた矢印）を示す。自動ドアＡＭＤは、供給経路ＰＳＲを形成する電力線（図示せず）を有する。電力線は、少なくとも部分的に不動部ＩＭＰに取り付けられ、光源２００に電気的に接続される。上述の如く、光源２００は、不動部ＩＭＰに取り付けられるので、電力線は、扉ＳＤＲの移動の間においても、揺動することは無い。したがって、電力線が揺動しても損傷しないように保護するカバー等が不要となるため、従来より、コンパクトな構成で、かつ故障しにくくすることができる。
【００５５】
光源２００は、供給経路ＰＳＲを通じた電力供給の下で光を出射する。光源２００は、扉ＳＤＲが移動する移動方向に沿って配置された複数の発光素子である。複数の発光素子それぞれは、発光ダイオードであってもよいし、発光体３００へ十分な量の光を供給することができる他の発光部品、例えばレーザ光源であってもよい。更に、光源２００は、扉ＳＤＲが移動する移動方向に延びるテープ状の部材に多数のＬＥＤが設けられたＬＥＤテープであってもよい。本実施形態の原理は、光源２００の特定の構造に限定されない。
【００５６】
発光体３００は、入射部３１０と、漏出部３２０と、を含む。入射部３１０は平面状に構成されているが、これに限られず光源２００から出射される光の状況に応じて凸レンズ状や凹レンズ状に設けても良い。さて、図１は、光源２００から入射部３１０への光の伝達経路ＯＴＲ（実線で描かれた矢印）を示す。伝達経路ＯＴＲは、光源２００と入射部３１０とが十分に近接した位置関係で構成されている。光源２００と入射部３１０との間の距離は約４０ｍｍとなっているが、これに限られず１０ｍｍでも５０ｍｍでも良く、光源２００の光量と発光体３００で発生させる光量との関係で決定すればよい。なお、伝達経路ＯＴＲの一部が光ファイバなどによって形成されていても良い。この場合、光源２００の大きさによらず、入射部３１０のすぐ近くまで光源２００から出射された光を効率的に導くことができる。本実施形態の原理は、伝達経路ＯＴＲを形成するための特定の光学的技術に限定されない。
【００５７】
光源２００から出射された光は、伝達経路ＯＴＲを通じて、入射部３１０に入射する。その後、光は、発光体３００の内部で伝播する。したがって、発光体３００は、一般的な光導波路と同様の構造を有しているが、これ以外にも物体の内部で光を伝播させる構造を有していてもよい。
【００５８】
発光体３００の内部で伝播する光の一部は、漏出部３２０から漏出する。通路を通行する通行者は、発光体３００から漏出する光を視認することができる。漏出部３２０は、伝播する光の少なくとも一部が散乱するように、クラッド層に用いられる材料とは屈折率において異なる材料からなる微細な薄層が分散配置されることによって形成されている。なお、漏出部３２０は、伝播する光の少なくとも一部が散乱するようにクラッド層に形成された微細な傷及び／又は凹部の分散配置によって形成されてもよい。光導波路に関連する様々な技術及び知見は、漏出部３２０の形成に利用可能である。したがって、本実施形態の原理は、漏出部３２０を形成するための特定の技術に限定されない。
【００５９】
＜第２実施形態＞
第１実施形態に関連して説明された発光装置の光源は、様々な構造を有してもよい。第２実施形態において、光源の例示的な構造が説明される。
【００６０】
図２は、第２実施形態の光源２００Ａの概念図である。図１及び図２を参照して、光源２００Ａが説明される。
【００６１】
光源２００Ａは、図１を参照して説明された光源２００として利用可能である。光源２００Ａは、６つの発光素子２１１，２１２，２１３，２１４，２１５，２１６を含む。図１を参照して説明された光源２００は、６未満の発光素子を有してもよいし、６より多い発光素子を有してもよい。
【００６２】
発光素子２１１，２１２，２１３，２１４，２１５，２１６は、扉ＳＤＲ（図１を参照）が移動する方向（すなわち、通路が開放される開方向及び／又は通路が閉鎖される閉方向）に沿って並べられる。発光素子２１１は、最も左に配置される。発光素子２１６は、最も右に配置される。発光素子２１２は、発光素子２１１の右隣に配置される。発光素子２１３は、発光素子２１２の右隣に配置される。発光素子２１４は、発光素子２１３の右隣に配置される。発光素子２１５は、発光素子２１４，２１６の間に配置される。
【００６３】
発光素子２１１，２１２，２１３，２１４，２１５，２１６は、共通の色相の光を出射するように構成されているが、発光素子２１１，２１２，２１３，２１４，２１５，２１６のうち一部が、他の発光素子とは異なる色相の光を出射するように構成してもよい。たとえば、発光素子２１１，２１３，２１５は、赤色の光を出射する赤色発光ダイオードであり、発光素子２１２，２１４，２１６は、青色の光を出射する青色発光ダイオードであってもよい。本実施形態の原理は、発光素子２１１，２１２，２１３，２１４，２１５，２１６から出射される光の特定の色相に限定されない。
【００６４】
＜第３実施形態＞
第２実施形態に関連して説明された発光装置の複数の発光素子それぞれは、複数の発光ダイオードを含んでもよい。複数の発光ダイオードは、互いに異なる色相の光を出射してもよい。この場合、発光装置は、様々な色相の光を生成することができる。第３実施形態において、複数の発光ダイオードを有する例示的な発光素子が説明される。
【００６５】
図３は、第３実施形態の発光素子２１０の概念図である。図２及び図３を参照して、発光素子２１０が説明される。
【００６６】
発光素子２１０は、図２を参照して説明された発光素子２１１，２１２，２１３，２１４，２１５，２１６それぞれとして利用可能である。発光素子２１０は、赤色発光ダイオード２２１と、緑色発光ダイオード２２２と、青色発光ダイオード２２３と、を含む。赤色発光ダイオード２２１は、赤色の光を出射する。緑色発光ダイオード２２２は、緑色の光を出射する。青色発光ダイオード２２３は、青色の光を出射する。
【００６７】
赤色光、緑色光及び青色光の間の混色が生ずるのに十分な程度に、赤色発光ダイオード２２１、緑色発光ダイオード２２２及び青色発光ダイオード２２３は、密集される。したがって、赤色発光ダイオード２２１、緑色発光ダイオード２２２及び青色発光ダイオード２２３それぞれから発せられる光の強度の調整の下で、発光素子２１０は、様々な色相の光を出射することができる。
【００６８】
＜第４実施形態＞
第２実施形態に関連して説明された光源は、複数の発光素子を含む。複数の発光素子は、扉が移動している間、光を一斉に出射してもよい。しかしながら、複数の発光素子のうち一部から発せられた光は、発光体に伝達される一方で、残りの発光素子から発せられた光は、発光体に伝達されない。発光体に伝達されない光が、通行者の目に届くならば、発光体に伝達されない光は、通行者に眩しく感じさせたり、自動ドアの美観に望ましくない影響を与えたりすることもある。第４実施形態において、複数の発光素子から一部の発光素子を選択し、選択された発光素子のみから光を出射する例示的な技術が説明される。
【００６９】
図４は、第４実施形態の発光装置１００Ｂの概念的なブロック図である。図１及び図４を参照して、発光装置１００Ｂが説明される。上述の実施形態の説明は、上述の実施形態と同一の符号が付された要素に対して援用される。
【００７０】
図１と同様に、図４は、電源ＰＳＰを示す。第１実施形態の説明は、電源ＰＳＰに援用される。
【００７１】
図４は、自動ドアＡＭＥを示す。第１実施形態と同様に、自動ドアＡＭＥは、扉ＳＤＲを含む。第１実施形態の説明は、扉ＳＤＲに援用される。
【００７２】
自動ドアＡＭＥは、駆動ケースＤＲＣと、モータＭＴＲと、エンコーダＥＣＤと、を更に含む。モータＭＴＲ、エンコーダＥＣＤ及び／又は扉ＳＤＲを駆動するための他の設備は、駆動ケースＤＲＣ内に収容される。駆動ケースＤＲＣは、図１を参照して説明された不動部ＩＭＰに対応する。したがって、不動部ＩＭＰに関する説明は、駆動ケースＤＲＣへ援用されてもよい。
【００７３】
モータＭＴＲは、電源ＰＳＰから電力供給を受ける。モータＭＴＲは、扉ＳＤＲを摺動させるための駆動力を生成する。駆動力は、モータＭＴＲから扉ＳＤＲへ伝達される。既知の様々な伝達機構に関する技術は、モータＭＴＲから扉ＳＤＲへの駆動力の伝達に利用されることができる。したがって、本実施形態の原理は、モータＭＴＲから扉ＳＤＲへ駆動力を伝達するための特定の機構に限定されない。
【００７４】
エンコーダＥＣＤは、モータＭＴＲに内蔵されており、モータＭＴＲの回転をパルス信号で出力するものである。扉ＳＤＲの位置は、モータＭＴＲの動作に連動するので、エンコーダＥＣＤによって生成されるパルス信号のパルスを、あらかじめ設定された特定の位置（例えば全閉位置や全開位置）から積算することにより、扉ＳＤＲの位置を表すことができる。更に、扉ＳＤＲの移動方向は、モータＭＴＲの回転方向からわかり、扉ＳＤＲの移動速度は、単位時間あたり生成されるパルス数を積算することで算出できる。なお、パルス数の積算は、モータＭＴＲの回転制御を行う自動ドアコントローラ（図示しない）によって行われる。なお、本実施形態の原理は、上記特定の内容に限定されない。例えば、モータＭＴＲは回転型モータを用いているが、これに限られずリニアモータを用いることもできる。この場合、エンコーダＥＣＤは、リニアモータの可動子の位置をパルス信号で出力するものとなる。更にエンコーダＥＣＤは、タコジェネレータを用いて回転速度を出力するものであっても良い。この場合、扉ＳＤＲの位置は回転速度を積分することにより算出することができる。更にエンコーダＥＣＤは、モータＭＴＲとは別に設けられていても良い。更にエンコーダＥＣＤは、ホール素子等を用いた磁気式であっても、ＬＥＤ等を用いた光学式であっても良い。
【００７５】
エンコーダＥＣＤに代えて、扉ＳＤＲの位置を検出することができる他のセンサ素子（たとえば、近接スイッチや光センサ）が用いられてもよい。本実施形態の原理は、特定のセンサ素子に限定されない。
【００７６】
上述の実施形態と同様に、発光装置１００Ｂは、光源２００Ａと、発光体３００と、を備える。図４に示される如く、光源２００Ａは、駆動ケースＤＲＣ内に配置される。発光体３００は、扉ＳＤＲに取り付けられる。第１実施形態の説明は、発光体３００に援用される。第２実施形態の説明は、光源２００Ａに援用される。
【００７７】
発光装置１００Ｂは、光源２００Ａの発光パターンを制御する制御回路４００を更に備える。図４に示される如く、制御回路４００は、駆動ケースＤＲＣ内に配置される。制御回路４００は、位置判定部４１０と、発光制御部４２０と、を含む。上述のように扉ＳＤＲの位置は扉位置信号として、エンコーダＥＣＤから位置判定部４１０へ直接又は間接的に出力される。扉ＳＤＲに対する発光体３００の位置は一定であるため、扉位置信号により、位置判定部４１０は、扉ＳＤＲに取り付けられた発光体３００の位置を算出することができる。なお、本実施形態の原理は、発光体３００の位置を検出するための特定の演算技術に限定されない。
【００７８】
位置判定部４１０は、エンコーダＥＣＤからの扉位置信号を処理するためのプログラムを実行するＣＰＵ（Ｃｅｎｔｒａｌ  Ｐｒｏｃｅｓｓｉｎｇ  Ｕｎｉｔ）やエンコーダＥＣＤからの扉位置信号を処理するように形成されたＰＬＤ（Ｐｒｏｇｒａｍｍａｂｌｅ  Ｌｏｇｉｃ  Ｄｅｖｉｃｅ）であってもよい。本実施形態の原理は、位置判定部４１０として用いられる特定の演算素子に限定されない。
【００７９】
発光制御部４２０は、扉ＳＤＲの位置に応じて、電力供給経路を切り替える、ＦＥＴ（ＦＩＥＬＤ  ＥＦＦＥＣＴ  ＴＲＡＮＳＩＳＴＯＲ）である。なお、ＦＥＴに代え、他のスイッチング素子などの電子部品であってもよい。本実施形態の原理は、発光制御部４２０として用いられる特定の電子部品に限定されない。
【００８０】
位置判定部４１０は、上述の位置判定処理の結果として、発光体３００の位置を表す位置情報を生成する。位置情報は、位置判定部４１０から発光制御部４２０へ出力される。
【００８１】
発光制御部４２０は、位置情報を参照して、発光素子２１１，２１２，２１３，２１４，２１５，２１６の一部を、点灯対象の発光素子として選択する。図４は、発光素子２１３に対応する位置に存在する発光体３００を示す。図４に示される発光体３００は、発光素子２１３から出射された光のほとんどを入光可能な一方で、他の発光素子２１１，２１２，２１４，２１５，２１６から出射された光のほとんどは入光不能となっている。したがって、発光素子２１３から出射される光は、発光体３００の発光に有用である一方で、他の発光素子２１１，２１２，２１４，２１５，２１６から出射される光は、有用で無い。
【００８２】
図４に示される位置関係の下では、発光制御部４２０は、位置情報を参照して、発光素子２１３を、点灯対象の発光素子として選択する。その後、発光制御部４２０は、発光素子２１３への電力供給経路を有効とする一方で、他の発光素子２１１，２１２，２１４，２１５，２１６への電力供給経路を遮断する。この結果、発光素子２１３のみが光を出射し、他の発光素子２１１，２１２，２１４，２１５，２１６は光らない。なお、本実施例においては、発光素子２１１，２１２，２１３，２１４，２１５，２１６に供給される電力を制御することにより、特定の発光素子のみを点灯させたが、これに限られず、光の出射を遮断する電気的または機械的なシャッターを発光素子２１１，２１２，２１３，２１４，２１５，２１６に設け、特定の発光素子以外の発光素子が光を外部に出射しないように当該シャッターを閉じるように制御しても良い。
【００８３】
＜第５実施形態＞
第４実施形態に関連して説明された発光装置は、複数の発光素子から選択された発光素子のみを発光させる。この結果、発光装置から不必要に漏れ出る光の量は、大幅に低減される。しかしながら、選択された発光素子から発光体へ向かう光の一部が漏出し、通行者の目に届くこともある。第５実施形態において、光の漏出量を更に低減するための例示的な技術が説明される。
【００８４】
図５は、第５実施形態の発光装置１００Ｃの概念的なブロック図である。図４及び図５を参照して、発光装置１００Ｃが説明される。第４実施形態の説明は、第４実施形態と同一の符号が付された要素に対して援用される。
【００８５】
図４と同様に、図５は、自動ドアＡＭＥと電源ＰＳＰとを示す。第４実施形態の説明は、これらの要素に援用される。
【００８６】
第４実施形態と同様に、発光装置１００Ｃは、光源２００Ａと、発光体３００と、制御回路４００と、を備える。第４実施形態の説明は、これらの要素に援用される。
【００８７】
発光装置１００Ｃは、フード５００を更に備える。フード５００は、制御回路４００によって選択された発光素子から出射された光が通過する空間を少なくとも部分的に取り囲む壁部を有する。したがって、フード５００は、選択された発光素子から出射された光の過度の拡散（すなわち、発光体３００とは異なる方向に漏洩しようとする光の伝播）を防止することができる。なお、本実施例においてフード５００の形状は箱状のものであるが、これに限られず、円筒状、円錐状、角錐状その他光の漏洩を防止可能な形状であればどのようなものでも構わない。
【００８８】
フード５００は、発光体３００に機械的に接続される。したがって、フード５００は、発光体３００（すなわち、扉ＳＤＲ）と一体的に移動することができる。既知の様々な機械的接続技術は、フード５００と発光体３００との間の接続に利用可能である。たとえば、フード５００は、発光体３００と光ファイバ（図示せず）とによって接続されてもよい。本実施形態の原理は、フード５００と発光体３００との間の特定の接続技術に限定されない。
【００８９】
フード５００は、扉ＳＤＲに固定されていてもよい。発光体３００に負荷を与えることなく、フード５００をより強固に固定することができる。
【００９０】
図４と同様に、図５は、発光素子２１３に対応する位置に配置された発光体３００を示す。このとき、フード５００は、発光素子２１３に対向する。第４実施形態に関連して説明された制御原理にしたがって、発光素子２１３が、光を出射すると、光は、フード５００の壁に囲まれた空間を伝播し、最終的に、発光体３００へ到達する。光は、発光素子２１３からの出射の直後に、フード５００の壁によって囲まれた空間に至るので、発光体３００へ伝播しない拡散された光は、通行者の目に届きにくい。
【００９１】
＜第６実施形態＞
第５実施形態に関連して説明されたフードは、光ファイバによって発光体に光学的に接続されてもよい。第６実施形態において、フードと発光体との間の例示的な接続構造が説明される。
【００９２】
図６は、フード５００の概略的な断面図である。図５及び図６を参照して、フード５００と発光体３００との間の例示的な接続構造が説明される。第５実施形態の説明は、第５実施形態と同一の符号が付された要素に対して援用される。
【００９３】
フード５００は、上壁５１０と、下壁５２０と、対向壁５３０と、を含む。下壁５２０は、上壁５１０の下方に位置する。上壁５１０及び下壁５２０は、扉ＳＤＲとは反対方向に対向壁５３０から突出する。
【００９４】
図６は、上壁５１０と下壁５２０との間に配置された発光ダイオード２２０を示す。発光ダイオード２２０は、図５を参照して説明された発光素子２１１，２１２，２１３，２１４，２１５，２１６のうち１つに対応する。
【００９５】
対向壁５３０は、光の出射方向において、発光ダイオード２２０に対向する。対向壁５３０は、発光ダイオード２２０から若干離れた位置に配置される。対向壁５３０には、貫通孔５３１が形成される。貫通穴５３１は、発光ダイオード２２０の光軸と略同心になるように設けられている。発光ダイオード２２０は、そのレンズ構成により貫通孔５３１に向けて収束する光を出射する。本実施形態において、出射部は、発光ダイオード２２０によって例示される。
【００９６】
図５を参照して説明された発光装置１００Ｃは、光ファイバ６００を備えてもよい。図６に示される如く、光ファイバ６００は、基端部６１０と先端部６２０とを含む。基端部６１０は、貫通孔５３１に挿入され、発光ダイオード２２０に対向する。先端部６２０は、発光体３００の入射部３１０に接続される。本実施形態において、入射部は、光ファイバ６００によって例示される。なお、本実施例では光ファイバ６００の直径が発光ダイオード２２０から出射される光よりも小さいため、発光ダイオード２２０から出射された光を光ファイバ６００に効率よく伝播させるため、貫通穴５３１は発光ダイオード２２０側から光ファイバ６００側に向かって穴の直径が小さくなるようにテーパ面が設けられている。
【００９７】
発光ダイオード２２０から出射した光は、貫通孔５３１を通過する。この結果、光は、光ファイバ６００の基端部６１０へ入射する。光ファイバ６００は、光を、基端部６１０から先端部６２０へ案内する。この結果、光は、発光体３００の入射部３１１に入射することができる。
【００９８】
発光装置１００Ｃを自動ドアＡＭＥに組み付ける作業者は、フード５００と光ファイバ６００の基端部６１０との間の接続境界及び発光体３００の入射部３１１と光ファイバ６００の先端部６２０との間の接続境界に光学的なシール材料を塗布してもよい。この結果、これらの接続境界から漏れ出る光の量は低減され得る。
【００９９】
図５を参照して説明された発光装置１００Ｃは、フード５００を扉ＳＤＲにしっかりと固定するためのブラケット５０１を備えてもよい。図６に示される如く、ブラケット５０１は、対向壁５３０の略鉛直な外面と扉ＳＤＲの略鉛直な表面とに機械的に接続される。光ファイバ６００は、ブラケット５０１に形成された貫通孔を通じて、対向壁５３０の貫通孔５３１に挿入される。
【０１００】
＜第７実施形態＞
第５実施形態に関連して説明されたフードは、発光体に直接的に接続されてもよい。第７実施形態において、フードと発光体との間の例示的な接続構造が説明される。
【０１０１】
図７は、フード５００の概略的な断面図である。図５乃至図７を参照して、フード５００と発光体３００との間の例示的な接続構造が説明される。第６実施形態の説明は、第６実施形態と同一の符号が付された要素に対して援用される。
【０１０２】
図６と同様に、図７は、発光ダイオード２２０と、フード５００と、ブラケット５０１と、扉ＳＤＲと、を示す。第６実施形態の説明は、これらの要素に援用される。
【０１０３】
発光体３００は、第１導波部３３１と、第２導波部３４０と、プリズム３５０と、を含んでもよい。第１導波部３３１は、略水平に延びる一方で、第２導波部３４０は、略鉛直に延びる。第１導波部３３１及び第２導波部３４０は、一般的な光導波路と同様の構造を有する。プリズム３５０は、第１導波部３３１と第２導波部３４０とに光学的に接合される。プリズム３５０の屈折率や他の光学的特性は、第１導波部３３１から第２導波部３４０への光の伝播を考慮して適切に決定される。
【０１０４】
第１導波部３３１の長手方向軸は、発光ダイオード２２０の光軸に略一致する。図６を参照して説明された光ファイバ６００と同様に、第１導波部３３１は、ブラケット５０１に形成された貫通孔に挿入される。第１導波部３３１は、フード５００の貫通孔５３１に対向する入射部３１１を含む。入射部３１１は、発光ダイオード２２０の出射部に対向する。発光ダイオード２２０から出射された光は、貫通孔５３１を通過し、第１導波部３３１の入射部３１１に入射する。光は、第１導波部３３１内で全反射を繰り返しながら、プリズム３５０へ向かう。光は、プリズム３５０内で屈折し、第２導波部３４０へ向かう。本実施形態において、貫通孔５３１はテーパ面を持たない円筒状の貫通穴であり、その直径は第１導波部３３０の直径（第１導波部３３０が円管状の場合）又は、高さ若しくは幅のいずれか小さい方（第１導波部３３０が矩形管状の場合）とほぼ同じとなるように設けられている。
【０１０５】
図５に示される漏出部３２０は、第２導波部３４０に形成される。プリズム３５０によって屈折された光は、第２導波部３４０内で全反射を繰り返しながら下方へ伝播する。光が漏出部３２０に至ると、光の一部は、漏出部３２０から漏出される。この結果、発光ダイオード２２０の光は、通行者の目に到達することができる。
【０１０６】
発光装置１００Ｃ（図５を参照）を自動ドアＡＭＥに組み付ける作業者は、フード５００と入射部３１１との間の接続境界、プリズム３５０と第１導波部３３１との間の接続境界及び／又はプリズム３５０と第２導波部３４０との間の接続境界に光学的なシール材料を塗布してもよい。この結果、これらの接続境界から漏れ出る光の量は低減され得る。
【０１０７】
＜第８実施形態＞
発光装置は、扉の移動方向の変化に応じて、発光色を変更してもよい。第８実施形態において、扉の移動方向の変化に応じて、発光色を変更するための例示的な発光装置が説明される。
【０１０８】
図８は、第８実施形態の発光装置１００Ｄの概念的なブロック図である。図５及び図８を参照して、発光装置１００Ｄが説明される。第５実施形態の説明は、第５実施形態と同一の符号が付された要素に対して援用される。
【０１０９】
図５と同様に、図８は、自動ドアＡＭＥと電源ＰＳＰとを示す。第５実施形態の説明は、これらの要素に援用される。
【０１１０】
第５実施形態と同様に、発光装置１００Ｄは、発光体３００と、フード５００と、を備える。第５実施形態の説明は、これらの要素に援用される。
【０１１１】
発光装置１００Ｄは、光源２００Ｄと、制御回路４００Ｄと、を更に備える。光源２００Ｄは、制御回路４００Ｄの制御下で明滅する。
【０１１２】
光源２００Ｄは、赤色発光ダイオード２３１，２３３，２３５と青色発光ダイオード２３２，２３４，２３６とを含む。赤色発光ダイオード２３１，２３３，２３５は、赤色光を出射する。青色発光ダイオード２３２，２３４，２３６は、青色光を出射する。本実施形態において、第１発光素子は、赤色発光ダイオード２３１，２３３，２３５のうち１つによって例示される。第２発光素子は、青色発光ダイオード２３２，２３４，２３６のうち１つによって例示される。
【０１１３】
本実施形態において、第１色相は、赤色によって例示されるが、他の色相であってもよい。本実施形態において、第２色相は、青色によって例示されるが、他の色相であってもよい。本実施形態の原理は、第１発光素子及び第２発光素子の特定の発光色に限定されない。
【０１１４】
本実施形態において、第１光は、赤色光によって例示される。第２光は、青色光によって例示される。
【０１１５】
赤色発光ダイオード２３１は、図５を参照して説明された発光素子２１１に対応する。赤色発光ダイオード２３３は、図５を参照して説明された発光素子２１３に対応する。赤色発光ダイオード２３５は、図５を参照して説明された発光素子２１５に対応する。発光素子２１１，２１３，２１５に関連する説明は、赤色発光ダイオード２３１，２３３，２３５に援用される。
【０１１６】
青色発光ダイオード２３２は、図５を参照して説明された発光素子２１２に対応する。青色発光ダイオード２３４は、図５を参照して説明された発光素子２１４に対応する。青色発光ダイオード２３６は、図５を参照して説明された発光素子２１６に対応する。発光素子２１２，２１４，２１６に関連する説明は、青色発光ダイオード２３２，２３４，２３６に援用される。
【０１１７】
第５実施形態と同様に、制御回路４００Ｄは、発光制御部４２０を含む。第５実施形態の説明は、発光制御部４２０に援用される。
【０１１８】
制御回路４００Ｄは、位置判定部４１０Ｄと、方向判定部４３０と、を更に含む。扉ＳＤＲの位置を表す扉位置信号と自動ドアコントローラ（図示せず）から出力される、モータＭＴＲの回転方向を示す扉移動方向信号は、エンコーダＥＣＤから位置判定部４１０Ｄと方向判定部４３０とに出力される。
【０１１９】
方向判定部４３０は、扉移動方向信号を参照し、扉ＳＤＲの移動方向を判定する。方向判定部４３０は、移動方向に関する判定処理の結果として、発光対象のダイオードの群を表す選択情報を生成する。扉ＳＤＲが、閉位置から開位置へ向けて移動しているならば、方向判定部４３０は、青色発光ダイオード２３２，２３４，２３６が、発光対象であることを表す選択情報を生成する。扉ＳＤＲが、開位置から閉位置へ向けて移動しているならば、方向判定部４３０は、赤色発光ダイオード２３１，２３３，２３５が、発光対象であることを表す選択情報を生成する。選択情報は、方向判定部４３０から位置判定部４１０Ｄへ出力される。
【０１２０】
選択情報が、赤色発光ダイオード２３１，２３３，２３５が、発光対象であることを表すならば、位置判定部４１０Ｄは、扉位置信号を参照し、フード５００が赤色発光ダイオード２３１，２３３，２３５のいずれかに位置において一致しているか否かを判定する。フード５００が、赤色発光ダイオード２３１に対向する位置に存在するならば、位置判定部４１０Ｄは、赤色発光ダイオード２３１を指し示す発光指令情報を生成する。フード５００が、赤色発光ダイオード２３３に対向する位置に存在するならば、位置判定部４１０Ｄは、赤色発光ダイオード２３３を指し示す発光指令情報を生成する。フード５００が、赤色発光ダイオード２３５に対向する位置に存在するならば、位置判定部４１０Ｄは、赤色発光ダイオード２３５を指し示す発光指令情報を生成する。フード５００が、赤色発光ダイオード２３１，２３３，２３５のいずれにも対向していないならば、発光対象が存在しないことを表す発光指令情報を生成する。発光指令情報は、位置判定部４１０Ｄから発光制御部４２０へ出力される。
【０１２１】
発光指令情報が、赤色発光ダイオード２３１を指し示すならば、発光制御部４２０は、赤色発光ダイオード２３１を選択的に発光させる。発光指令情報が、赤色発光ダイオード２３３を指し示すならば、発光制御部４２０は、赤色発光ダイオード２３３を選択的に発光させる。発光指令情報が、赤色発光ダイオード２３５を指し示すならば、発光制御部４２０は、赤色発光ダイオード２３５を選択的に発光させる。発光指令情報が、発光対象が存在しないことを表すならば、発光制御部４２０は、赤色発光ダイオード２３１，２３３，２３５のいずれも発光させない。
【０１２２】
選択情報が、青色発光ダイオード２３２，２３４，２３６が、発光対象であることを表すならば、位置判定部４１０Ｄは、扉位置信号を参照し、フード５００が青色発光ダイオード２３２，２３４，２３６のいずれかに位置において一致しているか否かを判定する。フード５００が、青色発光ダイオード２３２に対向する位置に存在するならば、位置判定部４１０Ｄは、青色発光ダイオード２３２を指し示す発光指令情報を生成する。フード５００が、青色発光ダイオード２３４に対向する位置に存在するならば、位置判定部４１０Ｄは、青色発光ダイオード２３４を指し示す発光指令情報を生成する。フード５００が、青色発光ダイオード２３６に対向する位置に存在するならば、位置判定部４１０Ｄは、青色発光ダイオード２３６を指し示す発光指令情報を生成する。フード５００が、青色発光ダイオード２３２，２３４，２３６のいずれにも対向していないならば、発光対象が存在しないことを表す発光指令情報を生成する。発光指令情報は、位置判定部４１０Ｄから発光制御部４２０へ出力される。
【０１２３】
発光指令情報が、青色発光ダイオード２３２を指し示すならば、発光制御部４２０は、青色発光ダイオード２３２を選択的に発光させる。発光指令情報が、青色発光ダイオード２３４を指し示すならば、発光制御部４２０は、青色発光ダイオード２３４を選択的に発光させる。発光指令情報が、青色発光ダイオード２３６を指し示すならば、発光制御部４２０は、青色発光ダイオード２３６を選択的に発光させる。発光指令情報が、発光対象が存在しないことを表すならば、発光制御部４２０は、青色発光ダイオード２３２，２３４，２３６のいずれも発光させない。
【０１２４】
図９は、制御回路４００Ｄの制御動作を表す概略的なフローチャートである。図８及び図９を参照して、制御回路４００Ｄの制御動作が説明される。
【０１２５】
（ステップＳ１０５）
制御回路４００Ｄの方向判定部４３０及び位置判定部４１０Ｄが、扉位置信号及び扉移動方向信号を受信するまでは待機し（ステップＳ１０５）、受信すると、ステップＳ１１０が実行される。
【０１２６】
（ステップＳ１１０）
方向判定部４３０は、扉ＳＤＲの移動方向を判定する。扉ＳＤＲが、閉位置から開位置へ向けて移動しているならば、ステップＳ１１５が実行される。扉ＳＤＲが、開位置から閉位置へ向けて移動しているならば、ステップＳ１３５が実行される。
【０１２７】
（ステップＳ１１５）
方向判定部４３０は、青色発光ダイオード２３２，２３４，２３６が発光対象であることを表す選択情報を生成する。選択情報は、方向判定部４３０から位置判定部４１０Ｄへ出力される。選択情報の出力の後、ステップＳ１２０が実行される。
【０１２８】
（ステップＳ１２０）
位置判定部４１０Ｄは、扉位置信号を参照し、フード５００が、青色発光ダイオード２３２，２３４，２３６のうちいずれかに対向しているか否かを判定する。フード５００が、青色発光ダイオード２３２，２３４，２３６のうちいずれかに対向しているならば、ステップＳ１２５が実行される。他の場合には、ステップＳ１５５が実行される。
【０１２９】
（ステップＳ１２５）
位置判定部４１０Ｄは、発光指令情報を生成する。フード５００が青色発光ダイオード２３２に対向していることを、扉位置信号が表すならば、位置判定部４１０Ｄは、発光対象が、青色発光ダイオード２３２であることを表す発光指令情報を生成する。フード５００が青色発光ダイオード２３４に対向していることを、扉位置信号が表すならば、位置判定部４１０Ｄは、発光対象が、青色発光ダイオード２３４であることを表す発光指令情報を生成する。フード５００が青色発光ダイオード２３６に対向していることを、扉位置信号が表すならば、位置判定部４１０Ｄは、発光対象が、青色発光ダイオード２３６であることを表す発光指令情報を生成する。発光指令情報は、位置判定部４１０Ｄから発光制御部４２０へ出力される。発光指令情報の出力の後、ステップＳ１３０が実行される。
【０１３０】
（ステップＳ１３０）
発光制御部４２０は、青色発光ダイオード２３２，２３４，２３６のうちいずれかの電力供給経路を有効化する。発光対象が、青色発光ダイオード２３２であることを発光指令情報が表すならば、発光制御部４２０は、青色発光ダイオード２３２用の電力供給経路が有効化する。発光対象が、青色発光ダイオード２３４であることを発光指令情報が表すならば、発光制御部４２０は、青色発光ダイオード２３４用の電力供給経路が有効化する。発光対象が、青色発光ダイオード２３６であることを発光指令情報が表すならば、発光制御部４２０は、青色発光ダイオード２３６用の電力供給経路が有効化する。電力供給経路の有効化の後、ステップＳ１６０が実行される。
【０１３１】
（ステップＳ１３５）
方向判定部４３０は、赤色発光ダイオード２３１，２３３，２３５が発光対象であることを表す選択情報を生成する。選択情報は、方向判定部４３０から位置判定部４１０Ｄへ出力される。選択情報の出力の後、ステップＳ１４０が実行される。
【０１３２】
（ステップＳ１４０）
位置判定部４１０Ｄは、扉位置信号を参照し、フード５００が、赤色発光ダイオード２３１，２３３，２３５のうちいずれかに対向しているか否かを判定する。フード５００が、赤色発光ダイオード２３１，２３３，２３５のうちいずれかに対向しているならば、ステップＳ１４５が実行される。他の場合には、ステップＳ１５５が実行される。
【０１３３】
（ステップＳ１４５）
位置判定部４１０Ｄは、発光指令情報を生成する。フード５００が赤色発光ダイオード２３１に対向していることを、扉位置信号が表すならば、位置判定部４１０Ｄは、発光対象が、赤色発光ダイオード２３１であることを表す発光指令情報を生成する。フード５００が赤色発光ダイオード２３３に対向していることを、扉位置信号が表すならば、位置判定部４１０Ｄは、発光対象が、赤色発光ダイオード２３３であることを表す発光指令情報を生成する。フード５００が赤色発光ダイオード２３５に対向していることを、扉位置信号が表すならば、位置判定部４１０Ｄは、発光対象が、赤色発光ダイオード２３５であることを表す発光指令情報を生成する。発光指令情報は、位置判定部４１０Ｄから発光制御部４２０へ出力される。発光指令情報の出力の後、ステップＳ１５０が実行される。
【０１３４】
（ステップＳ１５０）
発光制御部４２０は、赤色発光ダイオード２３１，２３３，２３５のうちいずれかの電力供給経路を有効化する。発光対象が、赤色発光ダイオード２３１であることを発光指令情報が表すならば、発光制御部４２０は、赤色発光ダイオード２３１用の電力供給経路が有効化する。発光対象が、赤色発光ダイオード２３３であることを発光指令情報が表すならば、発光制御部４２０は、赤色発光ダイオード２３３用の電力供給経路が有効化する。発光対象が、赤色発光ダイオード２３５であることを発光指令情報が表すならば、発光制御部４２０は、赤色発光ダイオード２３５用の電力供給経路が有効化する。電力供給経路の有効化の後、ステップＳ１６０が実行される。
【０１３５】
（ステップＳ１５５）
位置判定部４１０Ｄは、発光対象が存在しないことを表す発光指令情報を生成する。発光指令情報は、位置判定部４１０Ｄから発光制御部４２０へ出力される。発光制御部４２０は、赤色発光ダイオード２３１，２３３，２３５及び青色発光ダイオード２３２，２３４，２３６への全ての電力供給経路を遮断する。全ての電力供給経路の遮断の後、ステップＳ１６０が実行される。
【０１３６】
（ステップＳ１６０）
位置判定部４１０Ｄは、扉ＳＤＲが閉位置へ復帰したか否かを判定する。扉ＳＤＲが、閉位置に復帰しているならば、制御回路４００Ｄの制御動作は、終了する。他の場合には、ステップＳ１０５が実行される。
【０１３７】
位置判定部４１０Ｄ及び方向判定部４３０は、エンコーダＥＣＤからの扉位置信号及び扉移動方向信号を処理するためのプログラムを実行するＣＰＵ（Ｃｅｎｔｒａｌ  Ｐｒｏｃｅｓｓｉｎｇ  Ｕｎｉｔ）やエンコーダＥＣＤからの扉位置信号及び扉移動方向信号を処理するように形成されたＰＬＤ（Ｐｒｏｇｒａｍｍａｂｌｅ  Ｌｏｇｉｃ  Ｄｅｖｉｃｅ）であってもよい。本実施形態の原理は、位置判定部４１０Ｄ及び方向判定部４３０として用いられる特定の演算素子に限定されない。
【０１３８】
＜第９実施形態＞
第８実施形態に関連して説明された制御原理は、扉の移動の間において、発光体を点滅させるために利用されてもよい。第９実施形態において、発光体の点滅原理が説明される。
【０１３９】
図１０は、第９実施形態の光源２００Ｄの概略的な拡大図である。図８乃至図１０を参照して、発光体３００の点滅原理が説明される。第８実施形態の説明は、第８実施形態と同一の符号が付された要素に対して援用される。
【０１４０】
図１０は、赤色発光ダイオード２３１，２３３と、青色発光ダイオード２３２，２３４と、フード５００と、を示す。赤色発光ダイオード２３１，２３３及び青色発光ダイオード２３２，２３４は、扉ＳＤＲ（図８を参照）の移動方向に沿って交互に整列される。したがって、青色発光ダイオード２３２，２３４間の距離は、赤色発光ダイオード２３１と青色発光ダイオード２３２との間の距離とは相違する。赤色発光ダイオード２３１，２３３及び青色発光ダイオード２３２，２３４の間隔は、略一定であってもよい。図１０は、赤色発光ダイオード２３１，２３３及び青色発光ダイオード２３２，２３４の間隔を記号「ＩＴＶ」で表す。赤色発光ダイオード２３１，２３３及び青色発光ダイオード２３２，２３４の間隔ＩＴＶは、赤色発光ダイオード２３１，２３３及び青色発光ダイオード２３２，２３４それぞれの光軸の間隔として定義されてもよい。
【０１４１】
扉ＳＤＲが開位置から閉位置へ向かうとき、赤色発光ダイオード２３１は、赤色発光ダイオード２３３の次に光る。本実施形態において、第１発光ダイオードは、赤色発光ダイオード２３３によって例示される。第２発光ダイオードは、赤色発光ダイオード２３１によって例示される。第３発光ダイオードは、赤色発光ダイオード２３１，２３３の間に配置された青色発光ダイオード２３２によって例示される。第１位置は、図１０に示される赤色発光ダイオード２３３の位置によって例示される。第２位置は、図１０に示される赤色発光ダイオード２３３の位置によって例示される。
【０１４２】
図１０は、フード５００の幅寸法を記号「ＷＤＴ」で表す。幅寸法ＷＤＴは、扉ＳＤＲの移動方向におけるフード５００の寸法値として定義されてもよい。
【０１４３】
図１０に示される如く、幅寸法は、間隔ＩＴＶの２倍よりも小さい。この結果、発光体３００（図８を参照）は、扉ＳＤＲが移動する間、点滅することができる。
【０１４４】
扉ＳＤＲが開位置から閉位置に向けて移動しているならば、フード５００が、赤色発光ダイオード２３３に対向しているとき、図９を参照して説明されたステップＳ１４５が実行される。その後のステップＳ１５０において、赤色発光ダイオード２３３への電力供給経路が有効化されるので、赤色発光ダイオード２３３は、光を出射する。赤色発光ダイオード２３３からの光は、発光体３００へ最終的に到達する。この結果、ステップＳ１４５及びステップＳ１５０の実行によって、発光体３００は赤色発光する。
【０１４５】
扉ＳＤＲが、左方へ（すなわち、閉位置に向けて）移動すると、フード５００は、赤色発光ダイオード２３３から完全に離れる。このとき、上述の寸法関係（ＷＤＴ＜２×ＩＴＶ）の結果、フード５００は、左隣の赤色発光ダイオード２３３にも重ならない期間が生ずる。フード５００が、赤色発光ダイオード２３１，２３３のいずれにも重ならない期間において、図９を参照して説明されたステップＳ１５５が実行される。ステップＳ１５５において、発光制御部４２０は、全ての電力供給期間を遮断するので、光は、発光体３００から生じない。
【０１４６】
扉ＳＤＲが、その後、左方へ更に移動すると、フード５００は、赤色発光ダイオード２３１に重なる。この結果、図９を参照して説明されたステップＳ１４５が実行される。その後のステップＳ１５０において、赤色発光ダイオード２３１への電力供給経路が有効化されるので、赤色発光ダイオード２３１は、光を出射する。赤色発光ダイオード２３１からの光は、発光体３００へ最終的に到達する。この結果、ステップＳ１４５及びステップＳ１５０の実行によって、発光体３００は赤色発光する。
【０１４７】
＜第１０実施形態＞
自動ドアの周囲が明るいならば、通行者に発光体からの光を知覚させるためには、高い輝度が必要とされる。一方、発光体からの光の高い輝度が、維持されるならば、自動ドアの周囲が暗くなったとき、通行者は、発光体の輝度が高すぎると感じることもある。第１０実施形態において、自動ドアの周囲の照度の変化に適合して、発光体の輝度を調整することができる例示的な発光装置が説明される。
【０１４８】
図１１は、第１０実施形態の発光装置１００Ｅの概念的なブロック図である。図８及び図１１を参照して、発光装置１００Ｅが説明される。第８実施形態の説明は、第８実施形態と同一の符号が付された要素に対して援用される。
【０１４９】
図８と同様に、図１１は、自動ドアＡＭＥと電源ＰＳＰとを示す。第８実施形態の説明は、これらの要素に援用される。
【０１５０】
第８実施形態と同様に、発光装置１００Ｅは、光源２００Ｄと、発光体３００と、フード５００と、を備える。第８実施形態の説明は、これらの要素に援用される。
【０１５１】
発光装置１００Ｅは、制御回路４００Ｅと、照度センサ７００と、を更に備える。照度センサ７００は、自動ドアＡＭＥの周囲に配置される。照度センサ７００は、自動ドアＡＭＥの周囲、特に通路の照度を検出し、検出された照度を表す照度信号を生成する。照度信号は、照度センサ７００から制御回路４００Ｅへ出力される。フォトダイオードなど市販の様々な照度センサは、照度センサ７００として好適に利用可能である。したがって、本実施形態の原理は、照度センサ７００として用いられる特定のセンサに限定されない。
【０１５２】
第８実施形態と同様に、制御回路４００Ｅは、位置判定部４１０Ｄと、発光制御部４２０と、方向判定部４３０と、を含む。第８実施形態の説明は、これらの要素に援用される。
【０１５３】
制御回路４００Ｅは、輝度調整部４４０を更に含む。輝度調整部４４０は、照度信号を照度センサ７００から受け取る。輝度調整部４４０は、電源ＰＳＰから電力を受け取る。輝度調整部４４０は、照度信号に応じて、出力電力量を調整する。調整された電力は、輝度調整部４４０から発光制御部４２０へ出力される。発光制御部４２０は、第８実施形態に関連して説明された制御原理にしたがって、調整された電力を、赤色発光ダイオード２３１，２３３，２３５及び青色発光ダイオード２３２，２３４，２３６のうち１つへ選択的に供給する。
【０１５４】
照度信号が、検出された照度として第１照度値を表すとき、発光対象の発光ダイオードの輝度が、第１輝度値となるように、輝度調整部４４０は、出力電力量を調整する。照度信号が、検出された照度として第１照度値より低い第２照度値を表すとき、発光対象の発光ダイオードの輝度が、第１輝度値よりも低い第２輝度値となるように、輝度調整部４４０は、出力電力量を調整する。したがって、発光体３００は、自動ドアＡＭＥの周囲の照度に適した輝度で発光することができる。
【０１５５】
輝度調整部４４０は、選択情報を、方向判定部４３０から受け取ってもよい。この場合、輝度調整部４４０は、共通の照度の下においても、赤色発光ダイオード２３１，２３３，２３５と青色発光ダイオード２３２，２３４，２３６との間で輝度の設定値を変更することができる。
【０１５６】
輝度調整部４４０は、発光ダイオードに電力を供給するＦＥＴに入力する電圧を調整するように構成されている。なお輝度調整部４４０は、照度信号に応じて抵抗値を変える可変抵抗器や他の適切な電子部品であってもよい。本実施形態の原理は、輝度調整部４４０として用いられる特定の電子部品に限定されない。
【０１５７】
＜第１１実施形態＞
第１実施形態に関連して説明された発光体は、様々な形状を有することができる。発光体は、棒状であってもよいし、平板状であってもよい。発光体が棒状であるならば、発光体は、扉の縁部に沿って配置されてもよい。この場合、扉の縁部が光るので、通行者がこれを視認しやすくなり、通行者と扉との衝突のリスクは、低減される。第１１実施形態において、棒状の発光体が説明される。
【０１５８】
図１２Ａは、第１１実施形態の発光体３０１の概略的な斜視図である。図１２Ｂは、第１１実施形態の発光体３０２の概略的な斜視図である。図１２Ｃは、第１１実施形態の発光体３０３の概略的な斜視図である。図１２Ｄは、第１１実施形態の発光体３０４の概略的な斜視図である。図１、図１２Ａ乃至図１２Ｄを参照して、発光体３０１，３０２，３０３，３０４が説明される。
【０１５９】
発光体３０１，３０２，３０３，３０４それぞれは、図１を参照して説明された発光体３００として用いられる。発光体３０１，３０２，３０３，３０４それぞれは、上端面３６０と、下端面３７０と、周面３８０と、を含む。上端面３６０は、図１を参照して説明された入射部３１１として利用される。下端面３７０は、上端面３６０とは反対側に位置する。
【０１６０】
周面３８０は、上端面３６０と下端面３７０との間で鉛直に延びる。周面３８０は、第１面３８１と、第２面３８２と、第３面３８３と、第４面３８４と、を含む。第１面３８１は、鉛直に延びる。第２面３８２は、第１面３８１とは反対側で鉛直に延びる。第３面３８３は、第１面３８１と第２面３８２との間で鉛直に延びる。第４面３８４は、第３面３８３とは反対側で鉛直に延びる。上端面３６０から入射した光は、第１面３８１、第２面３８２、第３面３８３及び／又は第４面３８４での反射を繰り返しながら、下端面３７０に向かう。したがって、周面３８０は、光導波路を形成する。本実施形態において、光導波路部は、周面３８０によって例示される。
【０１６１】
図１２Ａに示される如く、図１を参照して説明された漏出部３２０は、第１面３８１、第２面３８２、第３面３８３及び第４面３８４それぞれに全体的に形成されてもよい。
【０１６２】
図１２Ｂに示される如く、図１を参照して説明された漏出部３２０は、第１面３８１、第２面３８２、第３面３８３及び第４面３８４のうち一部に全面に亘って形成されてもよい。図１２Ｂは、漏出部３２０が全面に亘って形成された第１面３８１を示す。
【０１６３】
図１２Ｃに示される如く、図１を参照して説明された漏出部３２０は、第１面３８１、第２面３８２、第３面３８３及び第４面３８４の一部又は全部に部分的に形成されてもよい。図１２Ｃは、第１面３８１の上部及び下部に形成された２つの漏出部３２０と、第３面３８３の中央部に形成された１つの漏出部３２０と、を示す。
【０１６４】
図１２Ｄに示される如く、図１を参照して説明された漏出部３２０は、第１面３８１、第２面３８２、第３面３８３及び第４面３８４のうち１つに部分的に形成されてもよい。図１２Ｄは、第１面３８１の中央部に形成された漏出部３２０を示す。
【０１６５】
＜第１２実施形態＞
第１１実施形態に関連して説明された発光体は、扉の様々な位置に取り付けられてもよい。発光体が、扉の戸先、戸尻や戸縁に取り付けられるならば、通行者は、戸先、戸尻や戸縁の位置を容易に視認することができる。この結果、通行者と扉との衝突のリスクは、低減される。第１２実施形態において、発光体の例示的な取付位置が説明される。
【０１６６】
図１３Ａ乃至図１３Ｃそれぞれは、扉ＳＤＲの概略的な斜視図である。図１２Ａ乃至図１３Ｃを参照して、発光体３０５，３０６の取付位置が説明される。
【０１６７】
発光体３０５，３０６それぞれは、図１２Ａ乃至図１２Ｄを参照して説明された発光体３０１，３０２，３０３，３０４のうち１つに対応してもよい。したがって、第１１実施形態の説明は、発光体３０５，３０６それぞれに援用される。
【０１６８】
扉ＳＤＲは、戸先ＤＬＥと戸尻ＤＴＥとを含む。戸先ＤＬＥ及び戸尻ＤＴＥはともに鉛直に延びる。戸尻ＤＴＥは、戸先ＤＬＥの反対側に位置する。戸先ＤＬＥは、開位置から閉位置へ向かう扉ＳＤＲの先頭縁になる。戸尻ＤＴＥは、閉位置から開位置へ向かう扉ＳＤＲの先頭縁になる。開位置から閉位置へ向かう扉ＳＤＲの戸先ＤＬＥや閉位置から開位置へ向かう扉ＳＤＲの戸尻ＤＴＥは、通行者が衝突しやすい部分である。
【０１６９】
図１３Ａは、戸先ＤＬＥに沿って配置された発光体３０５を示す。この場合、通行者は戸先ＤＬＥを容易に認識できるため、通行者と戸先ＤＬＥとの衝突のリスクは、低減される。
【０１７０】
図１３Ｂは、戸尻ＤＴＥに沿って配置された発光体３０５を示す。この場合、通行者は戸尻ＤＴＥを容易に認識できるため、通行者と戸尻ＤＴＥとの衝突のリスクは、低減される。
【０１７１】
図１３Ｃは、発光体３０５，３０６を示す。発光体３０５は、戸先ＤＬＥに沿って配置される。発光体３０６は、戸尻ＤＴＥに沿って配置される。図１３Ｃに示される発光体３０５，３０６の配置は、通行者と戸先ＤＬＥとの衝突のリスク及び通行者と戸尻ＤＴＥとの衝突のリスクを低減する。
【０１７２】
＜第１３実施形態＞
発光装置を設計する設計者は、様々なレイアウトを光源に採用することができる。第１３実施形態において、光源の例示的なレイアウトが説明される。
【０１７３】
図１４Ａ及び図１４Ｂそれぞれは、扉ＳＤＲの概略的な斜視図である。図１、図６、図１３Ａ、図１４Ａ及び図１４Ｂを参照して、光源の取付位置が説明される。
【０１７４】
図１４Ａ及び図１４Ｂそれぞれは、図１３Ａを参照して説明された扉ＳＤＲ及び発光体３０５を示す。第１２実施形態の説明は、扉ＳＤＲ及び発光体３０５に援用される。
【０１７５】
図１４Ａは、図１を参照して説明された光源２００として利用可能な７つの発光ダイオード２０１を示す。これらの発光ダイオード２０１は、扉ＳＤＲによって閉じられた通行口（図示せず）の上方に配置される。発光ダイオード２０１は、通行口を覆うように規定された仮想平面に対して直交する方向（すなわち、扉ＳＤＲの法線方向）に光を出射する。
【０１７６】
発光体３０５と７つの発光ダイオード２０１それぞれとの間の光の伝達経路は、図６を参照して説明された光ファイバ６００によって形成されてもよい。発光ダイオード２０１は、通行口の上方で、上述の仮想平面に対して直交する方向に光を出射するので、光ファイバ６００に入射せずに散乱した光は、通行者の目に届きにくくなる。
【０１７７】
図１４Ｂは、図１を参照して説明された光源２００として利用可能な８つの発光ダイオード２０２を示す。発光体３０５の上端面３６０は、鉛直方向にみて上向きである。扉ＳＤＲが移動している間、上端面３６０は、８つの発光ダイオード２０２それぞれの光軸と交差する。これらの発光ダイオード２０２は、下向きに光を出射する。図１４Ｂに示されるレイアウトの下では、設計者は、発光体３０５の上端面３６０と、光を出射している発光ダイオード２０２と、の間の距離に小さくできる。したがって、光学的損失が低減される。
【０１７８】
＜第１４実施形態＞
設計者は、上述の実施形態に関連して説明された様々な技術的原理に基づいて、様々な発光装置を設計することができる。たとえば、設計者は、戸先に複数の発光体を配置することができる。この場合、室内に侵入する通行者及び室外へ出ようとする通行者の両方は、戸先を適切に視認することができる。第１４実施形態において、戸先に取り付けられた複数の発光体を有する例示的な発光装置が説明される。
【０１７９】
図１５は、第１４実施形態の発光装置１００Ｆの概略的な斜視図である。図６及び図１５を参照して、発光装置１００Ｆが説明される。上述の実施形態の説明は、上述の実施形態と同一の符号が付された要素に対して援用される。なお、本実施例において、扉ＳＤＲの戸先側であって、発光体３０７，３０８の間には図示しない戸先ゴムが設けられており、発光体３０７，３０８は戸枠に直接接触しないように設けられている。
【０１８０】
発光装置１００Ｆは、光源２００Ｆと、発光体３０７，３０８と、フード５００Ｆと、ブラケット５０１Ｆと、光ファイバ６０１，６０２と、支持レール８００と、を備える。支持レール８００は、扉ＳＤＲの移動方向に延びる角柱状の部材である。扉ＳＤＲの移動方向に延びる細長い空洞部８１０は、支持レール８００内に形成される。光源２００Ｆは、空洞部８１０内に配置される。空洞部８１０に加えて、扉ＳＤＲの移動方向に延びる細長いスリット８２０も、支持レール８００に形成される。スリット８２０は、フード５００Ｆに対向する。支持レール８００内に配置された光源２００Ｆから出射された光は、スリット８２０を通じて、フード５００Ｆに到達する。本実施形態において、支持体は、支持レール８００によって例示される。
【０１８１】
フード５００Ｆは、第６実施形態に関連して説明された設計原理に基づいて設計されてもよい。第６実施形態の説明は、フード５００Ｆに援用されてもよい。
【０１８２】
フード５００Ｆは、保持片５４０と、取付ブロック５５０と、を含む。保持片５４０は、垂直壁５４１と、上遮光壁５４２と、下遮光壁５４３と、上保持壁５４４と、下保持壁５４５と、を含む。垂直壁５４１は、略垂直に立設された矩形状の板部分である。上遮光壁５４２は、垂直壁５４１の上縁から支持レール８００に向けて突出する。上遮光壁５４２は、スリット８２０から上方へ拡散する光の伝播を防止する。下遮光壁５４３は、垂直壁５４１の下縁から支持レール８００に向けて突出する。下遮光壁５４３は、スリット８２０から下方へ拡散する光の伝播を防止する。上保持壁５４４は、垂直壁５４１の上縁から扉ＳＤＲに向けて突出する。下保持壁５４５は、垂直壁５４１の下縁から扉ＳＤＲに向けて突出する。取付ブロック５５０は、上保持壁５４４と下保持壁５４５とによって挟まれる。
【０１８３】
ブラケット５０１Ｆは、取付ブロック５５０と扉ＳＤＲとに接続される。ブラケット５０１Ｆは、上保持壁５４４及び下保持壁５４５と協働して、取付ブロック５５０を保持する。
【０１８４】
フード５００Ｆには、垂直壁５４１及び取付ブロック５５０を貫通する２つの貫通孔（図示せず）が形成される。これらの貫通孔それぞれは、図６を参照して説明された貫通孔５３１に相当する。貫通孔５３１が形成された対向壁５３０に関する説明は、垂直壁５４１及び取付ブロック５５０に援用される。
【０１８５】
光ファイバ６０１は、フード５００Ｆに形成された２つの貫通孔のうち一方に接続される。光ファイバ６０２は、フード５００Ｆに形成された２つの貫通孔のうち他方に接続される。
【０１８６】
光ファイバ６０１は、発光体３０７の上端面に接続される。光ファイバ６０２は、発光体３０８の上端面に接続される。発光体３０７，３０８それぞれは、図６を参照して説明された発光体３００に相当する。発光体３００に関する説明は、発光体３０７，３０８それぞれに援用される。
【０１８７】
光源２００Ｆから出射された光は、フード５００Ｆに形成された２つの貫通孔を通過し、光ファイバ６０１，６０２に入射する。光は、その後、光ファイバ６０１，６０２によって案内され、発光体３０７，３０８へ入射する。この結果、発光体３０７，３０８は、発光する。
【０１８８】
図１６は、支持レール８００内の光源２００Ｆの概略的な正面図である。図８、図１５及び図１６を参照して、支持レール８００の内部の構造が説明される。
【０１８９】
発光装置１００Ｆは、複数の制御回路４００Ｆを備える。複数の制御回路４００Ｆは、支持レール８００に取り付けられる。
【０１９０】
光源２００Ｆは、ダイオード組２４０，２５０を含む。ダイオード組２４０は、２つの赤色発光ダイオード２４１，２４２を含む。赤色発光ダイオード２４２は、赤色発光ダイオード２４１の右隣に配置される。複数の制御回路４００Ｆのうち１つは、赤色発光ダイオード２４１，２４２の間に配置される。ダイオード組２５０は、２つの青色発光ダイオード２５１，２５２を含む。複数の制御回路４００Ｆのうち１つは、青色発光ダイオード２５１，２５２の間に配置される。
【０１９１】
ダイオード組２５０は、２つのダイオード組２４０の間に配置される。複数の制御回路４００Ｆのうち１つは、赤色発光ダイオード２４２と青色発光ダイオード２５１との間に配置される。複数の制御回路４００Ｆのうち他のもう１つは、青色発光ダイオード２５２と赤色発光ダイオード２４１との間に配置される。赤色発光ダイオード２４１，２４２及び青色発光ダイオード２５１，２５２は、対応する制御回路４００Ｆに電気的に接続される。
【０１９２】
複数の制御回路４００Ｆは、図８を参照して説明された制御回路４００Ｄに対応する。したがって、第８実施形態に関連して説明された制御原理は、発光装置１００Ｆに援用される。第８実施形態に関連して説明された制御原理の下では、ダイオード組２４０は、図８に示される赤色発光ダイオード２３１，２３３，２３５のうち１つに対応する。ダイオード組２５０は、図８に示される青色発光ダイオード２３２，２３４，２３６のうち１つに対応する。
【０１９３】
＜第１５実施形態＞
第１４実施形態に関連して説明された発光体は、扉の狭い側面（通行口を覆う仮想平面に略直交する面）に取り付けられる。しかしながら、扉の側面には、パッキンや、発光体の取付を妨げる他の部品が存在することもある。扉は、一般的に、通行口を覆う仮想平面に沿う一対の主面を有する。多くの場合、主面上には、パッキンや発光体の取付を妨げる部位は存在しないので、発光体は、扉の主面に容易に取付可能である。第１５実施形態において、扉の一対の主面にそれぞれ取り付けられた一対の発光体を有する例示的な発光装置が説明される。
【０１９４】
図１７は、第１５実施形態の発光装置１００Ｇの概略的な斜視図である。図１６及び図１７を参照して、発光装置１００Ｇが説明される。第１４実施形態の説明は、第１４実施形態と同一の符号が付された要素に対して援用される。なお、本実施例は既設の扉に後付する場合を想定したものであり、図示しない戸先ゴムが扉ＳＤＲの戸先側に設けられている。
【０１９５】
第１４実施形態と同様に、発光装置１００Ｇは、光源２００Ｆと、複数の制御回路４００Ｆ（図１６を参照）と、フード５００Ｆと、支持レール８００と、を備える。第１４実施形態の説明は、これらの要素に援用される。
【０１９６】
発光装置１００Ｇは、発光体３０７Ｇ，３０８Ｇと、光ファイバ６０１Ｇ，６０２Ｇと、を更に備える。扉ＳＤＲは、内面ＩＮＳと、内面ＩＮＳとは反対の外面ＯＵＳと、を含む。内面ＩＮＳは、支持レール８００に対向する。内面ＩＮＳ及び外面ＯＵＳは、通行口（図示せず）を覆う仮想平面（図示せず）に略平行である。発光体３０７Ｇは、内面ＩＮＳに取り付けられる。発光体３０８Ｇは、外面ＯＵＳに取り付けられる。したがって、室内に侵入する通行者及び室外へ出る通行者はともに、戸先から発せられる光を視認することができる。本実施形態において、表面は、外面ＯＵＳによって例示される。裏面は、内面ＩＮＳによって例示される。第１発光体は、発光体３０８Ｇによって例示される。第２発光体３０７Ｇによって例示される。
【０１９７】
光ファイバ６０１Ｇは、フード５００Ｆと発光体３０７Ｇの上端面とに接続される。光ファイバ６０２Ｇは、フード５００Ｆと発光体３０８Ｇの上端面とに接続される。光ファイバ６０２Ｇは、扉ＳＤＲを貫通する一方で、光ファイバ６０１Ｇは、扉ＳＤＲを貫通しない。
【０１９８】
光ファイバ６０１Ｇは、光源２００Ｆから出射された光を発光体３０７Ｇへ案内する伝達経路を形成するので、発光体３０７Ｇは、適切に発光することができる。光ファイバ６０２Ｇは、光源２００Ｆから出射された光を発光体３０８Ｇへ案内する伝達経路を形成するので、発光体３０８Ｇは、適切に発光することができる。
【０１９９】
上述の様々な実施形態に関連して説明された発光装置は、様々な自動ドアに適用可能である。上述の様々な実施形態のうち１つに関連して説明された様々な特徴のうち一部が、他のもう１つの実施形態に関連して説明された技術に適用されてもよい。
【産業上の利用可能性】
【０２００】
上述の実施形態の原理は、様々な自動ドアに好適に利用される。
【符号の説明】
【０２０１】
１００，１００Ｂ〜１００Ｇ・・・・・・・・・・・・・・・発光装置
２００，２００Ａ，２００Ｄ，２００Ｆ・・・・・・・・・・光源
２１０〜２１６・・・・・・・・・・・・・・・・・・・・・発光素子
２２０・・・・・・・・・・・・・・・・・・・・・・・・・発光ダイオード
３００・・・・・・・・・・・・・・・・・・・・・・・・・発光体
３０１〜３０６・・・・・・・・・・・・・・・・・・・・・発光体
３０７，３０７Ｇ・・・・・・・・・・・・・・・・・・・・発光体
３０８，３０８Ｇ・・・・・・・・・・・・・・・・・・・・発光体
３１１・・・・・・・・・・・・・・・・・・・・・・・・・入射部
３２０・・・・・・・・・・・・・・・・・・・・・・・・・漏出部
４００，４００Ｄ，４００Ｅ，４００Ｆ・・・・・・・・・・制御回路
４４０・・・・・・・・・・・・・・・・・・・・・・・・・輝度調整部
５００，５００Ｆ・・・・・・・・・・・・・・・・・・・・フード
６００・・・・・・・・・・・・・・・・・・・・・・・・・光ファイバ
６０１，６０１Ｇ・・・・・・・・・・・・・・・・・・・・光ファイバ
６０２，６０２Ｇ・・・・・・・・・・・・・・・・・・・・光ファイバ
７００・・・・・・・・・・・・・・・・・・・・・・・・・照度センサ
ＡＭＤ，ＡＭＥ・・・・・・・・・・・・・・・・・・・・・自動ドア
ＤＬＥ・・・・・・・・・・・・・・・・・・・・・・・・・戸先
ＤＴＥ・・・・・・・・・・・・・・・・・・・・・・・・・戸尻
ＩＭＰ・・・・・・・・・・・・・・・・・・・・・・・・・不動部
ＳＤＲ・・・・・・・・・・・・・・・・・・・・・・・・・扉
【図１】
0006706077.tif 000002
【図２】
0006706077.tif 000003
【図３】
0006706077.tif 000004
【図４】
0006706077.tif 000005
【図５】
0006706077.tif 000006
【図６】
0006706077.tif 000007
【図７】
0006706077.tif 000008
【図８】
0006706077.tif 000009
【図９】
0006706077.tif 000010
【図１０】
0006706077.tif 000011
【図１１】
0006706077.tif 000012
【図１２Ａ】
0006706077.tif 000013
【図１２Ｂ】
0006706077.tif 000014
【図１２Ｃ】
0006706077.tif 000015
【図１２Ｄ】
0006706077.tif 000016
【図１３Ａ】
0006706077.tif 000017
【図１３Ｂ】
0006706077.tif 000018
【図１３Ｃ】
0006706077.tif 000019
【図１４Ａ】
0006706077.tif 000020
【図１４Ｂ】
0006706077.tif 000021
【図１５】
0006706077.tif 000022
【図１６】
0006706077.tif 000023
【図１７】
0006706077.tif 000024